(57)【特許請求の範囲】
【請求項１】
計数した歩数を歩数データとして記憶し、歩数データに基づき複数の歩数関連データを算出して記憶する歩数計において、
歩数データおよび歩数関連データのそれぞれを複数の表示形式で表示可能な表示装置と、前記歩数データの前記複数の表示形式間の表示の切り替え、前記歩数関連データの前記複数の表示形式間の切り替え、および前記歩数データと前記歩数関連データとの間の表示の切り替えをおこなうための操作手段と、
前記歩数データまたは前記歩数データの変化に応じて変化するいずれかの歩数関連データであってあらかじめ設定された所定のデータ（以下「設定データ」という）の所定の表示形式（以下「設定表示形式」という）を設定する設定手段と、を有し、
前記表示装置における表示が、前記設定手段によって設定された設定データの設定表示形式以外に切り替えられた後、前記操作手段の操作が所定時間おこなわれないときに前記設定データの前記設定表示形式に自動的に切り替えることを特徴とする歩数計。
【請求項２】
前記設定データは、当日の歩数として計数している歩数データ、当該当日を含む所定期間において継続して歩数として計数している歩数データ、あらかじめ定められている区間において歩数として計数している歩数データ、前記歩数データの歩数関連データのいずれかのデータであることを特徴とする請求項１に記載の歩数計。
【請求項３】
計数する歩数の種類によって複数の異なる歩数データを異なる計数モードとして記憶する記憶手段を備え、
前記設定手段は、前記記憶手段に記憶された前記異なる計数モードごとに、それぞれ異なる前記設定データの設定表示形式を設定することを特徴とする請求項１または２に記載の歩数計。
【請求項４】
加速度センサにより検出した出力により、使用者の活動量を計数し、活動量データとして記憶し、活動量データに基づき複数の活動量関連データを算出して記憶する活動量計において、
活動量データおよび活動量関連データのそれぞれを複数の表示形式で表示可能な表示装置と、前記活動量データの前記複数の表示形式間の表示の切り替え、前記活動量関連データの前記複数の表示形式間の切り替え、および前記活動量データと前記活動量関連データとの間の表示の切り替えをおこなうための操作手段と、
前記活動量データまたは前記活動量データの変化に応じて変化するいずれかの活動量関連データであってあらかじめ設定された所定のデータ（以下「設定データ」という）の所定の表示形式（以下「設定表示形式」という）を設定する設定手段と、を有し、
前記表示装置における表示が、前記設定手段によって設定された設定データの設定表示形式以外に切り替えられた後、前記操作手段の操作が所定時間おこなわれないときに前記設定データの前記設定表示形式に自動的に切り替えることを特徴とする活動量計。
【発明の詳細な説明】
【技術分野】
【０００１】
この発明は、歩数計および活動量計に関する。
【背景技術】
【０００２】
歩数計は、加速度センサにより歩行者の上下方向の加速度を検出し、その検出値の変化に基づいて歩数（体動）を計数し、計数した歩数を数値表示する。近年、歩数計は、歩数を表示するだけでなく、消費カロリー、脂肪燃焼量、歩行距離、歩行時間など、多くの情報を切り替えて表示することができる。また、当日の歩数を表示するだけでなく、過去数日ごとの歩数を表示したり複数日の累計歩数を表示したりすることができる。
【０００３】
このように、多種の情報を表示させるために、歩数計は、複数のスイッチの操作を組み合わせ、または階層的なスイッチ操作によって多種の情報の切り替え表示を実現することが多い（たとえば、特許文献１参照。）。
【０００４】
また、歩数計と同様に加速度センサの検出出力を取り込み、使用者の活動（たとえば歩行やその他の体動）を検出して１日の消費エネルギー、脂肪燃焼量、運動強度、エクササイズなどの活動量や活動量に関するデータを算出したり、標準活動量データと１日の活動量データとを比較することにより運動レベル算出したりする活動量計がある（たとえば、特許文献２参照。）。この活動量計についても、多種のデータを当日、過去の日ごと、週ごとなどで記憶して、それらのデータを複数のスイッチの操作を組み合わせ、または階層的なスイッチ操作によって表示することができる。
【先行技術文献】
【特許文献】
【０００５】
【特許文献１】特開２００３−９９７５４号公報
【特許文献２】特開２００７−８９６９９号公報
【発明の概要】
【発明が解決しようとする課題】
【０００６】
しかしながら、上述した従来の歩数計や活動量計では、携帯者すなわち被験者が所望する情報を表示させるためには、複数のスイッチの操作を組み合わせたり階層的なスイッチ操作をおこなったりしなければならず、操作が煩わしいという問題があった。
【０００７】
また、上述した従来の歩数計や活動量計では、スイッチ操作を繰り返すことによって、表示を切り替えるのが一般的であるため、本体をポケットに収納している際の誤動作など、被験者が意図せずにスイッチ操作がなされることによって、現在どの情報が表示されているか混乱して分からなくなったり、通常の歩数を表示したいのにその表示画面への移行が容易にできなかったりして支障を来す場合が多くあった。
【０００８】
このように、上述した従来の歩数計や活動量計では、被験者が所望する情報を表示させるための操作が煩わしいという問題があった。
【０００９】
この発明は、上述した従来技術による問題点を解消するため、被験者に対して、当該被験者が所望する情報を容易に確認させることができる歩数計を提供することを目的とする。
【課題を解決するための手段】
【００１０】
上述した課題を解決し、目的を達成するため、この発明にかかる歩数計は、計数した歩数を歩数データとして記憶し、歩数データに基づき複数の歩数関連データを算出して記憶する歩数計において、歩数データおよび歩数関連データのそれぞれを複数の表示形式で表示可能な表示装置と、前記歩数データの前記複数の表示形式間の表示の切り替え、前記歩数関連データの前記複数の表示形式間の切り替え、および前記歩数データと前記歩数関連データとの間の表示の切り替えをおこなうための操作手段と、前記歩数データまたは前記歩数データの変化に応じて変化するいずれかの歩数関連データであってあらかじめ設定された所定のデータ（以下「設定データ」という）の所定の表示形式（以下「設定表示形式」という）を設定する設定手段と、を有し、前記表示装置における表示が、前記設定手段によって設定された設定データの設定表示形式以外に切り替えられた後、前記操作手段の操作が所定時間おこなわれないときに前記設定データの前記設定表示形式に自動的に切り替えることを特徴とする。
【００１２】
また、この発明にかかる歩数計は、上記の発明において、前記設定データが、当日の歩数として計数している歩数データ、当該当日を含む所定期間において継続して歩数として計数している歩数データ、あらかじめ定められている区間において歩数として計数している歩数データ、前記歩数データの歩数関連データのいずれかのデータであることを特徴とする。
【００１４】
また、この発明にかかる歩数計は、上記の発明において、計数する歩数の種類によって複数の異なる歩数データを異なる計数モードとして記憶する記憶手段を備え、前記設定手段が、前記記憶手段に記憶された前記異なる計数モードごとに、それぞれ異なる前記設定データの設定表示形式を設定することを特徴とする。
【００１５】
また、この発明にかかる活動量計は、加速度センサにより検出した出力により、使用者の活動量を計数し、活動量データとして記憶し、活動量データに基づき複数の活動量関連データを算出して記憶する活動量計において、活動量データおよび活動量関連データのそれぞれを複数の表示形式で表示可能な表示装置と、前記活動量データの前記複数の表示形式間の表示の切り替え、前記活動量関連データの前記複数の表示形式間の切り替え、および前記活動量データと前記活動量関連データとの間の表示の切り替えをおこなうための操作手段と、前記活動量データまたは前記活動量データの変化に応じて変化するいずれかの活動量関連データであってあらかじめ設定された所定のデータ（以下「設定データ」という）の所定の表示形式（以下「設定表示形式」という）を設定する設定手段と、を有し、前記表示装置における表示が、前記設定手段によって設定された設定データの設定表示形式以外に切り替えられた後、前記操作手段の操作が所定時間おこなわれないときに前記設定データの前記設定表示形式に自動的に切り替えることを特徴とする。
【発明の効果】
【００１６】
この発明にかかる歩数計および活動量計によれば、表示装置における表示が設定データの設定表示形式以外に切り替えられた場合には、所定時間経過後に設定表示形式にしたがった設定データの表示に切り替わるので、被験者に対して何らの操作をさせることなく、被験者が所望する情報を表示することができる。これによって、被験者に対して、当該被験者が所望する情報を容易に確認させることができるという効果を奏する。
【図面の簡単な説明】
【００１７】
【図１】この発明にかかる実施の形態１の歩数計のハードウェア構成を示すブロック図である。
【図２】この発明にかかる実施の形態１の歩数計の処理装置の機能的構成を示すブロック図である。
【図３】この発明にかかる実施の形態１の歩数計の表示装置の機能的構成を示すブロック図である。
【図４】この発明にかかる実施の形態１の歩数計の表示切り替え制御処理の手順を示すフローチャートである。
【図５】この発明にかかる実施の形態１の歩数計の動作の概念を示す説明図である。
【図６】この発明にかかる実施の形態１の歩数計の外観を示す説明図である。
【図７】この発明にかかる実施の形態１の歩数計の表示内容の一例（歩数表示）を示す説明図である。
【図８】この発明にかかる実施の形態１の歩数計の表示内容の一例（累計データ）を示す説明図である。
【図９】この発明にかかる実施の形態１の歩数計の表示内容の一例（消費カロリー）を示す説明図である。
【図１０】この発明にかかる実施の形態１の歩数計の表示内容の一例（脂肪燃焼量）を示す説明図である。
【図１１】この発明にかかる実施の形態１の歩数計の表示内容の一例（歩行距離）を示す説明図である。
【図１２】この発明にかかる実施の形態１の歩数計の表示内容の一例（歩行時間）を示す説明図である。
【図１３】この発明にかかる実施の形態１の歩数計の表示内容の一例（平均速度）を示す説明図である。
【図１４】この発明にかかる実施の形態１の歩数計の表示内容の一例（区間計測）を示す説明図である。
【図１５】この発明にかかる実施の形態１の歩数計の表示内容の一例（日時）を示す説明図である。
【図１６】この発明にかかる実施の形態１の歩数計の表示内容の一例（メモリー）を示す説明図である。
【図１７】この発明にかかる実施の形態２の歩数計の処理装置の機能的構成を示すブロック図である。
【図１８】この発明にかかる実施の形態２の歩数計の表示切り替え制御処理の手順を示すフローチャートである。
【図１９】この発明にかかる実施の形態２の歩数計の動作の概念を示す説明図である。
【図２０】この発明にかかる実施の形態２の歩数計の外観を示す説明図である。
【発明を実施するための形態】
【００１８】
以下に添付図面を参照して、この発明にかかる歩数計の好適な実施の形態を詳細に説明する。
【００１９】
（実施の形態１）
以下に添付図面を参照して、この発明にかかる歩数計の好適な実施の形態１を詳細に説明する。
【００２０】
（歩数計のハードウェア構成）
図１は、この発明にかかる実施の形態１の歩数計のハードウェア構成を示すブロック図である。図１に示すように、歩数計１００は、互いに異なる三方向（Ｘ軸方向、Ｙ軸方向およびＺ軸方向とする）の加速度を検出可能な３軸加速度センサを備えている。
【００２１】
ここでは、３軸加速度センサを、Ｘ軸方向の加速度を検出するＸ軸加速度センサ１０１、Ｙ軸方向の加速度を検出するＹ軸加速度センサ１０２、およびＺ軸方向の加速度を検出するＺ軸加速度センサ１０３として示す。加速度センサとしては、周知のものを用いることができる。Ｘ軸方向、Ｙ軸方向およびＺ軸方向は、歩数計１００に固有の方向であり、歩数計１００の姿勢（向きや傾き）の変化に伴って変わる。
【００２２】
また、歩数計１００は、３軸加速度センサの出力信号に基づいて、歩数計１００を携帯する携帯者（被験者）の体動であるか否かを判断し、体動をカウントすることで歩数を計数する処理装置１０４を備えている。処理装置１０４の詳細な構成については、後述する。また、歩数計１００は、処理装置１０４でカウントされた体動を表示する表示装置１０５を備えている。表示装置１０５は、たとえば、液晶パネルと液晶駆動回路を備えている。表示装置１０５の詳細な構成については、後述する。
【００２３】
また、歩数計１００は、現在時刻および各種時間を計時する計時装置１０６と、各種操作スイッチからなる操作手段としての入力装置１０７を備えている。計時装置１０６は、たとえば発振回路から構成され、計時処理の基準となる所定の周波数を有する信号を発生する基準信号発生部と、基準信号発生部から発生される所定の周波数を有する信号を処理装置１０４および表示装置１０５に対して出力するカウンタとを備えている。
【００２４】
歩数計１００は、たとえばパーソナルコンピュータなどの情報処理装置との間でデータの送受信をおこなうＩ／Ｆを備えていてもよい。具体的には、Ｉ／Ｆは、たとえばＵＳＢなどの接続端子からなり、情報処理装置にインストールされたアプリケーションソフトによって、データの送受信の制御をおこなう。このＩ／Ｆについては、公知の各種の技術を用いて容易に実現可能であるため図示および説明を省略する。
【００２５】
（処理装置の機能的構成）
図２は、この発明にかかる実施の形態１の歩数計１００の処理装置の機能的構成を示すブロック図である。図２に示すように、処理装置１０４は、Ｘ軸アナログ／デジタル変換部２０１、Ｙ軸アナログ／デジタル変換部２０２、Ｚ軸アナログ／デジタル変換部２０３、加速度取得部２０４、上弦ピーク値検出部２０５および下弦ピーク値検出部２０６、ピーク差算出部２０７、閾値判定部２０８、フラグ制御部２０９、計数部２１０、記憶部２１１、計数制御部２１２および算出部２１３を備えている。これらの機能部については、ハードウェアにより実現されてもよいし、ＣＰＵなどでプログラムを実行することにより実現されてもよい。
【００２６】
Ｘ軸アナログ／デジタル変換部２０１、Ｙ軸アナログ／デジタル変換部２０２およびＺ軸アナログ／デジタル変換部２０３は、それぞれ、図示を省略する入力端子を介してＸ軸加速度センサ１０１、Ｙ軸加速度センサ１０２およびＺ軸加速度センサ１０３に接続されており、それらのセンサから出力されるアナログ電圧信号を所定の周期でサンプリングしてデジタルデータに変換する。Ｘ軸アナログ／デジタル変換部２０１、Ｙ軸アナログ／デジタル変換部２０２およびＺ軸アナログ／デジタル変換部２０３は、同一のタイミングでそれぞれのセンサ出力信号をサンプリングするのが望ましい。
【００２７】
加速度取得部２０４は、各軸のアナログ／デジタル変換部２０１，２０２，２０３の出力値に基づいて加速度の大きさを取得する。加速度の大きさは、増減を繰り返す。上弦ピーク値検出部２０５は、加速度取得部２０４により取得された加速度の大きさが増加傾向から減少傾向に切り替わるときのピーク値（上弦ピーク値とする）を検出する。上弦ピーク値を検出するために、上弦ピーク値検出部２０５は、たとえば、つぎのような処理をおこなう。
【００２８】
上弦ピーク値検出部２０５は、加速度取得部２０４から出力された加速度の値をバッファに格納し、そのバッファの格納値と、そのつぎに加速度取得部２０４から出力された加速度の値を比較し、大きい方の値でバッファの格納値を更新する。そして、上弦ピーク値検出部２０５は、加速度取得部２０４から出力された加速度の値がバッファの格納値よりも小さくなったら、そのときのバッファの格納値を上弦ピーク値とする。
【００２９】
下弦ピーク値検出部２０６は、加速度取得部２０４により取得された加速度の大きさが減少傾向から増加傾向に切り替わるときのピーク値（下弦ピーク値とする）を検出する。下弦ピーク値を検出するために、下弦ピーク値検出部２０６は、たとえば、つぎのような処理をおこなう。
【００３０】
下弦ピーク値検出部２０６は、加速度取得部２０４から出力された加速度の値をバッファに格納し、そのバッファの格納値と、そのつぎに加速度取得部２０４から出力された加速度の値を比較し、小さい方の値でバッファの格納値を更新する。そして、下弦ピーク値検出部２０６は、加速度取得部２０４から出力された加速度の値がバッファの格納値よりも大きくなったら、そのときのバッファの格納値を下弦ピーク値とする。
【００３１】
ピーク差算出部２０７は、下弦ピーク値検出部２０６により検出された下弦ピーク値および上弦ピーク値検出部２０５により検出された上弦ピーク値の差分を算出する。その際、ピーク差算出部２０７は、下弦ピーク値とその直後の上弦ピーク値との差分を算出してもよいし、上弦ピーク値とその直後の下弦ピーク値との差分を算出してもよい。
【００３２】
閾値判定部２０８は、ピーク差算出部２０７により算出された、下弦ピーク値と上弦ピーク値の差分を、あらかじめ設定されている閾値と比較し、その結果に基づいて体動を検出したか否かを判定する。たとえば閾値判定部２０８は、下弦ピーク値と上弦ピーク値の差分が閾値よりも大きいときに、体動を検出したと判定する。
【００３３】
フラグ制御部２０９は、閾値判定部２０８により体動を検出したと判定された場合に、所定のタイミングで体動検出フラグをオンにする。所定のタイミングは、加速度取得部２０４により取得された加速度の大きさにより決まるタイミングとすることができる。また、フラグ制御部２０９は、体動検出フラグをオンにした後、所定期間経過した時点で体動検出フラグをオフに切り替える。
【００３４】
計数部２１０は、カウンタにより構成されており、体動検出フラグがオンになった回数を常にカウントし、カウント値を歩数データとして計数して記憶部２１１に保持（記憶）するとともに、当該歩数データを、図示を省略する出力端子を介して表示装置１０５へ送る。このようにして、計数部２１０は複数の歩数データを計数する。
【００３５】
また、記憶部２１１は、計数部２１０によって計数された複数の歩数データの計数値のほか、各種データを記憶する。記憶するデータの種類については後述する（図５を参照）。記憶部２１１は、たとえば、ＲＡＭなどによってその機能を実現する。このようにして、記憶部２１１は、計数部２１０によって計数された複数の歩数データを記憶する。
【００３６】
歩数データおよび歩数関連データは、異なる時点から計数した歩数データおよび歩数に関するデータであってもよい。具体的には、複数日にわたる累計歩数データ（たとえば後述する図８を参照）であってもよく、被験者の歩数に基づいて算出される消費カロリーデータ（たとえば後述する図９を参照）でもよい。さらに、過去の歩数データ（たとえば後述する図１６を参照）であってもよい。そして計数部２１０は、算出部２１３によって算出された結果に関する数値を受け取って、記憶部２１１に記憶するとともに、その数値データを図示を省略する出力端子を介して表示装置１０５へ送る。
【００３７】
計数制御部２１２は、計数部２１０による計数処理を制御する。具体的には、計数制御部２１２は、たとえば入力装置１０７から操作指示を受けて、選択された歩数データの計数部２１０による計数を開始する制御をおこなう。また、具体的には、計数制御部２１２は、たとえば入力装置１０７から操作指示を受けて、選択された歩数データの計数部２１０による計数を停止する制御をおこなう。
【００３８】
計数制御部２１２は、たとえば、計数部２１０が当日の歩数データ、累計歩数データ、区間計測の歩数データなどの複数の歩数データを計数する場合に、区間計測の歩数データは、計数を停止しても、当日の歩数データ、累計歩数データなど、区間計測の歩数データ以外は計数を継続しておこなう。
【００３９】
計時装置１０６は、表示装置１０５において表示を切り替えてからの経過時間を計時する。表示装置１０５は、計時装置１０６によって計時された結果、表示を切り替えてから所定の時間（たとえば１０秒）が経過した場合に、あらかじめ指定された所定の画面（以下「指定画面」という）に切り替えて表示する。表示装置１０５における画面の切り替えについては、説明を後述する。上記所定の時間は、１０秒に限定されるものではなく、また、たとえば入力装置１０７を用いた被験者からの入力を受け付けることにより、たとえば２０秒、１分などのように任意に設定することができる。また、計時装置１０６は、現在日時を計時する。
【００４０】
また、計数制御部２１２は、計時装置１０６によって計時されている現在日時に基づいて、計数のリセット（開始）が指示された日時を記憶部２１１に記憶する。そして、計数部２１０は、区間計測画面を表示する際に、区間計測における歩数データとともに、記憶部２１１に記憶された日時に関する情報（日時の全部または一部）を表示装置１０５へ送る。
【００４１】
表示装置１０５は、計数部２１０から送られた日時データを表示する。その際、日時のすべて（年月日および時刻）を表示してもよく、計数のリセットが指示されたのが当日であれば時刻を、計数の開始が指示されたのが前日以前であれば、日付のみを表示するようにしてもよい。このように、限られた表示領域において必要最小限の情報のみを表示することで、表示内容の視認のしやすさを向上させることができる。
【００４２】
また、算出部２１３は、体動検出フラグのオンがカウントされ、歩数データとして計数された回数、計時装置１０６からの時間に関する情報、および、あらかじめ設定された被験者の体重や歩幅に関する情報などに基づいて、計数された歩数データ以外の数値（歩数関連データ）を算出する。歩数関連データは、歩数データ以外のデータに基づき算出されるようにしてもよく、さらに、歩数データおよび歩数データ以外のデータに基づき算出されるようにしてもよい。
【００４３】
計数部２１０は、算出部２１３によって算出された結果に関する数値を受け取って、受け取った数値データを記憶部２１１に保持（記憶）する。また、計数部２１０は、算出部２１３から受け取った数値データを記憶部２１１に保持（記憶）するとともに、その数値データを図示を省略する出力端子を介して表示装置１０５へ送る。
【００４４】
歩数関連データは、具体的には、被験者の消費カロリー（たとえば後述する図９を参照）、脂肪燃焼量（たとえば後述する図１０を参照）、歩行距離（たとえば後述する図１１を参照）、歩行時間（たとえば後述する図１２を参照）、平均速度（たとえば後述する図１３を参照）などである。
【００４５】
また、歩数データと歩数関連データとは、互いに同じ種類の複数の表示形式を有するものであってもよい。さらには、歩数データと歩数関連データとは、互いに同じ数の複数の表示形式を有するものであってもよい。また、複数の表示形式は、異なる期間の歩数データおよび歩数関連データであってもよい。
【００４６】
（表示装置の機能的構成）
図３は、この発明にかかる実施の形態１の歩数計１００の表示装置の機能的構成を示すブロック図である。図３に示すように、表示装置１０５は、表示部３０１と、切り替え制御部３０２と、設定部３０３と、を備えている。表示部３０１は、計数部２１０から送られたカウント値のデータ（歩数）と、歩数とは異なる数値データとを切り替えて表示する。表示部３０１は、たとえば液晶パネルなどによってその機能を実現する。
【００４７】
切り替え制御部３０２は、歩数に関する情報を表示するように表示部３０１を制御するとともに、被験者の所定の操作入力（スイッチ操作）に基づく入力装置１０７からの出力信号に基づいて、表示部３０１に表示されている歩数に関する情報を歩数とは異なる数値データへ切り替えて表示するように表示部３０１を制御する。
【００４８】
そして、切り替え制御部３０２は、入力装置１０７からあらたに所定の操作入力がない状態で、計時装置１０６によって計時された時間が所定時間（たとえば１０秒）を経過した場合に、表示部３０１に表示されている表示画面を、あらかじめ指定された所定の画面（以下「指定画面」という）に切り替えて表示するように表示部３０１を制御する。切り替え制御部３０２は、たとえば液晶駆動回路によってその機能を実現する。
【００４９】
指定画面は、歩数データおよび歩数関連データのうちのいずれかのデータであってあらかじめ設定された所定のデータ（以下「設定データ」という）を表示する。また、指定画面は、上記の設定データを、あらかじめ設定された所定の表示形式（以下「設定表示形式」という）で表示する。歩数関連データは、消費カロリー、脂肪燃焼量、歩行距離、歩行時間、平均速度に関する情報の少なくともいずれか一つとすることができる。
【００５０】
指定画面は、たとえば歩数計１００の被験者によって任意に設定することができる。具体的には、指定画面は、たとえば被験者がもっとも確認したい情報を表示する画面、確認する頻度が高い画面などとすることができる。より具体的には、指定画面は、たとえば「累計データ」画面（たとえば図８を参照）とすることができる。以下、この実施の形態１においては、指定画面として「累計データ」画面が設定されたものとして説明する。
【００５１】
設定データは、たとえば歩数データの変化に応じて変化するデータとすることができる。具体的には、設定データは、たとえば当日の歩数として計数している歩数データ、当該当日を含む所定期間において継続して歩数として計数している歩数データ、あらかじめ定められている区間において歩数として計数している歩数データ、歩数データの歩数関連データまたは日付データのいずれかのデータとすることができる。
【００５２】
設定部３０３は、指定画面に表示する設定データ、およびその表示形式を設定する。設定部３０３は、被験者の所定の操作入力（スイッチ操作）に基づく入力装置１０７からの出力信号に基づいて、設定データおよび設定表示形式を設定する。この実施の形態１においては、設定部３０３によって設定手段を実現することができる。
【００５３】
具体的には、設定部３０３は、たとえば指定画面として設定したい画面を表示した状態で、所定のスイッチ（たとえば図６における設定スイッチ６０１を参照）が長押しされた場合に、当該画面を指定画面として設定する。あるいは、具体的には、設定部３０３は、たとえば指定画面の設定をおこなうための特定の画面が表示されている状態で、この特定の画面の表示内容にしたがって指定画面を選択する操作がおこなわれた場合に、該当する画面を指定画面として設定するようにしてもよい。
【００５４】
（歩数計１００の表示切り替え制御処理の手順）
図４は、この発明にかかる実施の形態１の歩数計１００の表示切り替え制御処理の手順を示すフローチャートである。図４のフローチャートにおいて、切り替え制御部３０２は、表示部３０１において、あらかじめ指定された所定の画面（以下「指定画面」という）が表示されるように制御する（ステップＳ４０１：指定画面表示）。
【００５５】
つぎに、所定のスイッチのいずれかが押下されたか否かを判断する（ステップＳ４０２）。ここで、上記所定のスイッチが押下されない場合（ステップＳ４０２：Ｎｏ）は、表示部３０１における「指定画面表示」を維持する。所定のスイッチは、表示部３０１において表示する表示画面を切り替えるためのスイッチであり、具体的には、たとえば後述する「切替」スイッチとすることができる。
【００５６】
そして、上記所定のスイッチが押下された場合（ステップＳ４０２：Ｙｅｓ）は、押下されたスイッチに応じた表示の切り替えをおこなう（ステップＳ４０３）。それとともに、計時を開始する（ステップＳ４０４）。ステップＳ４０３の処理とステップＳ４０４の処理とは、実行する順序が逆であってもよい。すなわち、上記所定のスイッチが押下された場合は、所定のスイッチが押下されてからの時間の計時を開始した後に、押下されたスイッチに応じた表示の切り替えをおこなうようにしてもよい。
【００５７】
その後、ステップＳ４０４における計時が開始されてから所定時間（たとえば「１０秒」）が経過したか否かを判断する（ステップＳ４０５）。ステップＳ４０４における計時が開始されてから、未だ１０秒が経過していない場合（ステップＳ４０５：Ｎｏ）は、所定のスイッチのいずれかが押下されたか否かを判断する（ステップＳ４０６）。
【００５８】
そして、ステップＳ４０４における計時が開始されてから１０秒が経過するまでの間にスイッチが押下された場合（ステップＳ４０６：Ｙｅｓ）は、ステップＳ４０３へ戻って、再び、押下されたスイッチに応じた表示の切り替えをおこなう（ステップＳ４０３）。以後ステップＳ４０３〜Ｓ４０６の各処理を繰り返しおこなう。
【００５９】
ステップＳ４０５において、スイッチの押下がなく（ステップＳ４０６：Ｎｏ）、１０秒が経過した場合（ステップＳ４０５：Ｙｅｓ）は、切り替え制御部３０２は、表示部３０１において上記「指定画面表示」に表示を切り替えるよう制御する（ステップＳ４０７）。その後、ステップＳ４０２へ移行し、以後ステップＳ４０２〜Ｓ４０７の各処理を繰り返しおこなう。
【００６０】
このように処理することによって、表示部３０１における表示が切り替わってから１０秒間、何らの操作が入力されなければ、かならず、「指定画面」に表示が切り替わる。すなわち、表示部３０１が「指定画面」以外のどの画面を表示していても同様に、表示部３０１における表示が切り替わってから１０秒後に「指定画面」に表示が切り替わる。
【００６１】
スイッチの押下は、被験者の意思によるものに加えて、歩数計１００をポケットに収納している際の誤動作など、被験者が意図しないスイッチの押下を含む。これにより、被験者が意図しないスイッチの押下がなされた場合であっても、表示部３０１における表示が切り替わってから１０秒後には、指定画面以外の表示画面から指定画面に戻ることになる。
【００６２】
（歩数計１００の動作）
つぎに、この発明にかかる実施の形態１の歩数計１００の動作の概念について説明する。図５は、この発明にかかる実施の形態１の歩数計１００の動作の概念を示す説明図である。図５においては、上記した画面の切り替え表示の概念および当該切り替えを実現する歩数計１００のデータ構造の概念を示している。図５において、歩数計１００は、歩数、消費カロリー、歩行距離、歩行時間、脂肪燃焼量、・・・などの歩数関連データを、日付ごとに記憶している。
【００６３】
歩数関連データは、日付ごとに記憶されているため、本日、１日前、２日前、・・・などのように遡って読み出すことができる。歩数計１００において、歩数関連データは、消費カロリー、歩行距離、歩行時間、脂肪燃焼量、・・・などの項目ごとに、本日、１日前、２日前、・・・などのように遡って読み出すように記憶されていてもよい。
【００６４】
歩数計１００は、日付ごとに記憶されている歩数関連データに基づいて、消費カロリー、歩行距離、歩行時間、脂肪燃焼量、・・・などの項目ごとに当該項目におけるデータを累積した情報を記憶している。歩数計１００は、記憶しているこれらのデータに基づいて、たとえば歩数計１００の使用開始時から累積した、あるいは指定された日時から累積した歩数、当該累積した消費カロリー、当該累積した歩行距離、当該累積した歩行時間、当該累積した脂肪燃焼量、・・・などを表示することができる。
【００６５】
歩数計１００が表示する各項目におけるデータは、被験者の所定の操作入力（スイッチ操作）に基づく入力装置１０７からの出力信号に基づいて、切り替えることができる。歩数計１００が表示するデータは、所定のスイッチ（図６における符号６０１、６０２、６０３、６０４を参照）が操作されるごとに順番に切り替えることができる（図５における点線の矢印を参照）。
【００６６】
また、歩数計１００は、歩数データおよび歩数関連データを、所定の区間ごとに記憶している。所定の区間ごとに記憶する歩数データおよび歩数関連データは、上記の日付ごとに記憶する歩数データおよび歩数関連データとは別に記憶することができる。具体的には、所定の区間ごとに記憶する歩数データおよび歩数関連データは、たとえば所定の区間を計測した歩数データと、その歩数データから算出された歩数関連データとすることができる。
【００６７】
区間は、たとえば区間開始時点と区間終了時点とを指定することによって任意に設定することができる。この場合、日付や時刻を指定することによって区間開始時点や区間終了時点を指定することができる。あるいは区間は、区間開始時点のみの設定を受け付け、あらかじめ定められた所定の時間が経過する時点を区間終了時点として設定するようにしてもよい。この場合、区間開始時点の日付や時刻を指定することによって区間を設定することができる。
【００６８】
あるいは、所定の区間ごとに記憶する歩数関連データは、上記の日付ごとに記憶する歩数関連データに基づいて適宜算出されるものであってもよい。具体的には、たとえば日付ごとに記憶している歩数を７日間分加算することによって、「１週間」という区間の歩数データを取得するようにしてもよい。
【００６９】
歩数計１００においては、表示部３０１における表示が切り替わってから所定時間（図４においては１０秒間）、操作入力がなされなければ、図５における矢印５００に例示するように、かならず「累計データ」画面に切り替わる。図５においては、一例として、「１日前の歩行距離」を示す表示画面から、指定画面としての「累計データ」画面に切り替わる様子を矢印５００によって示している。
【００７０】
（歩数計１００の外観および表示画面の内容）
図６は、この発明にかかる実施の形態１の歩数計１００の外観を示す説明図である。図６において、歩数計１００は、表示部（表示画面）３０１と、設定スイッチ６０１と、切替スイッチ６０２と、アップスイッチ６０３と、ダウンスイッチ６０４と、を備えている。
【００７１】
図７、図８、図９、図１０、図１１、図１２、図１３、図１４、図１５および図１６は、この発明にかかる実施の形態１の歩数計１００の表示内容の一例を示す説明図である。図７においては、「歩数表示」画面の一例を示している。図７の「歩数表示」画面７００において、本日の歩数表示であるか否かは、左下側の「今日」という表示があるか否かで被験者が容易に判断することができる。「１２４４１（歩）」が本日の歩数を示している。また、「１８：４５」が現在の時間を示している。
【００７２】
また、「６．２（エクササイズ）」は、厚生労働省が策定した「健康作りのための運動指針２００６」で示す身体活動量を表す単位であるエクササイズ量を示している。エクササイズ量は身体活動の強度（メッツ）に身体活動の実施時間（時）を乗算することによって算出する。メッツとは、安静時の何倍に相当するかの身体活動の強度を表す単位であり、普通歩行は３メッツに相当する。たとえば普通歩行を２０分おこなうと、３メッツ×１／３時間（２０分）＝１エクササイズとなる。
【００７３】
図８においては、「累計データ」画面の一例を示している。図８において、「累計データ」画面８００は、「歩数表示」画面７００が表示されている状態において、設定スイッチ６０１が２回押下された場合に表示形式が切り替わり表示される。図８においては、所定区間（図８においては７日間）の累計データ（６日前から今日まで）である「６９０７０（歩）」を表示している。
【００７４】
「累計データ」画面８００であるか否かは、画面の左上側の「累計」という文字の表示および左下側の「〜今日」という表示があるか否かで被験者が容易に判断することができ、「１／０１」という表示から、１月１日〜今日までの累計データであることも被験者が容易に判断することができる。
【００７５】
「累計データ」画面８００は、「歩数表示」が表示されている状態において設定スイッチ６０１が２回押下された場合に限るものではない。「累計データ」画面８００は、歩数以外の歩数関連データが表示されている状態において設定スイッチ６０１が２回押下された場合に表示することができる。
【００７６】
「累計データ」画面８００を指定画面として設定する場合は、「累計データ」画面８００が表示されている状態において、設定スイッチ６０１を長押し（たとえば２秒間）する。あるいは「累計データ」画面８００を指定画面として設定する場合は、たとえば指定画面の設定をおこなう特定の画面（図示を省略する）を表示し、この特定の画面の表示内容にしたがって「累計データ」画面８００を指定画面として設定する操作をおこなうようにしてもよい。
【００７７】
上記図７に示した「歩数表示」画面７００において、画面が切り替わってから、１０秒間、上記いずれのスイッチ６０１〜６０４も押下されなかった場合は、１０秒経過後に図８に示した「累計データ」画面８００に切り替わる。図７に示した「歩数表示」画面７００が表示されている状態において、切替スイッチ６０２が１回押下されると、つぎに、図９に示す「消費カロリー」画面９００に切り替わる。
【００７８】
図９の「消費カロリー」画面９００においては、図７の「歩数表示」画面７００に示した被験者の歩数「１２４４１（歩）」に基づいて図２に示した算出部２１３によって算出された消費カロリーである「３９５．９（ｋｃａｌ）」を表示する。その他の表示は図７の「歩数表示」画面７００と同様である。
【００７９】
図９に示した「消費カロリー」画面９００において、画面が切り替わってから、１０秒間、上記いずれのスイッチ６０１〜６０４も押下されなかった場合は、１０秒経過後に図８に示した「累計データ」画面８００に切り替わる。一方、１０秒経過前に切替スイッチ６０２が１回押下されると、つぎに、図１０に示す「脂肪燃焼量」画面１０００に切り替わる。
【００８０】
図１０においては、図７の「歩数表示」画面７００に示した被験者の歩数「１２４４１（歩）」に基づいて図２に示した算出部２１３によって算出された脂肪燃焼量である「５６．５（ｇ）」を表示する。その他の表示は図７の「歩数表示」画面７００と同様である。
【００８１】
図１０に示した「脂肪燃焼量」画面１０００において、画面が切り替わってから、１０秒間、上記いずれのスイッチ６０１〜６０４も押下されなかった場合は、１０秒経過後に図８に示した「累計データ」画面８００に切り替わる。一方、１０秒経過前に切替スイッチ６０２が１回押下されると、つぎに、図１１に示す「歩行距離」画面１１００に切り替わる。図１１おいては、図７の「歩数表示」画面７００に示した被験者の歩数である「１２４４１（歩）」に基づいて図２に示した算出部２１３によって算出された歩行距離である「８．９８（ｋｍ）」を表示する。その他の表示は図７の「歩数表示」画面７００と同様である。
【００８２】
図１１に示した「歩行距離」画面１１００において、画面が切り替わってから、１０秒間、上記いずれのスイッチ６０１〜６０４も押下されなかった場合は、１０秒経過後に図８に示した「累計データ」画面８００に切り替わる。一方、１０秒経過前に切替スイッチ６０２が１回押下されると、つぎに、図１２に示す「歩行時間」画面１２００に切り替わる。図１２においては、図２に示した算出部２１３によって算出された歩行時間である「１１２（分）」を表示する。その他の表示は図７の「歩数表示」画面７００と同様である。
【００８３】
図１２に示した「歩行時間」画面１２００において、画面が切り替わってから、１０秒間、上記いずれのスイッチ６０１〜６０４も押下されなかった場合は、１０秒経過後に図８に示した「累計データ」画面８００に切り替わる。一方、１０秒経過前に切替スイッチ６０２が１回押下されると、つぎに、図１３に示す「平均速度」画面１３００に切り替わる。図１３においては、図２に示した算出部２１３によって算出された平均速度である「４．８１（ｋｍ／時）」を表示する。その他の表示は図７の「歩数表示」画面７００と同様である。
【００８４】
図１３に示した「平均速度」画面１３００において、画面が切り替わってから、１０秒間、上記いずれのスイッチ６０１〜６０４も押下されなかった場合は、１０秒経過後に図８に示した「累計データ」画面８００に切り替わる。また、１０秒経過前に切替スイッチ６０２が１回押下されると、図７の「歩数表示」画面７００に切り替わる。
【００８５】
このようにして、切替スイッチ６０２が１回押下されるごとに、図７に示した「歩数表示」画面７００→図９に示した「消費カロリー」画面９００→図１０に示した「脂肪燃焼量」画面１０００→図１１に示した「歩行距離」画面１１００→図１２に示した「歩行時間」画面１２００→図１３に示した「平均速度」画面１３００→図７に示した「歩数表示」画面７００と循環して切り替わる。その間であっても、各画面が表示されてから１０秒間が経過すると、図８に示した「累計データ」画面８００に戻る。
【００８６】
「歩数表示」または、歩数関連データが表示されている状態において、設定スイッチ６０１が１回押下されると、つぎに、図８に示す「累計データ」画面８００に表示形式が切り替わる。図８においては、７日間の累計データ（６日前から今日まで）である「６９０７０（歩）」を表示する。「累計データ」画面８００であるか否かは、画面の左上側の「累計」という文字の表示および左下側の「〜今日」という表示があるか否かで被験者が容易に判断することができ、「１／０１」という表示から、１月１日〜今日までの累計データであることも被験者が容易に判断することができる。
【００８７】
図８に示した「累計データ」画面８００において、画面が切り替わってから、１０秒間、上記いずれのスイッチ６０１〜６０４も押下されなかった場合は、１０秒経過後もそのまま「累計データ」画面８００の表示を継続する。一方、「累計データ」画面８００において、画面が切り替わってから、１０秒経過前に設定スイッチ６０１が１回押下されると、つぎに、図１４に示す「区間計測」画面１４００に表示形式が切り替わる。
【００８８】
図１４においては、任意の複数区間（たとえば３区間）を測定することができる。図１４では、「区間計測」画面１４００は、「１」の区間において「１６８４（歩）」であることを示している。区間の切り替えは、アップスイッチ６０３およびダウンスイッチ６０４を押下することによっておこなう。また、区間のリセットは設定スイッチ６０１を長押しすることによっておこなう。
【００８９】
図１４に示した「区間計測」画面１４００において、画面が切り替わってから、１０秒間、上記いずれのスイッチ６０１〜６０４も押下されなかった場合は、１０秒経過後に図８に示した「累計データ」画面８００に切り替わる。一方、１０秒経過前に設定スイッチ６０１が１回押下されると、つぎに、図１５に示す「日時」画面１５００に切り替わる。「日時」画面１５００では、日付（１月１日：「１／０１」）、時計（１８時４５分：「１８：４５」）、年（２００８年：「０８」）が表示される。
【００９０】
図１５に示した「日時」画面１５００において、画面が切り替わってから、１０秒間、上記いずれのスイッチ６０１〜６０４も押下されなかった場合は、１０秒経過後に図８に示した「累計データ」画面８００に切り替わる。また、図１５に示した「日時」画面１５００において、画面が切り替わってから、１０秒経過前に設定スイッチ６０１が１回押下された場合は、図７に示した「歩数表示」画面７００に切り替わる。
【００９１】
このように、設定スイッチ６０１が１回押下されるごとに、図７に示した「歩数表示」画面７００→図８に示した「累計データ」画面８００→図１４に示した「区間計測」画面１４００→図１５に示した「日時」画面１５００→図７に示した「歩数表示」画面７００と循環して切り替わる。その間であっても、各画面が表示されてから１０秒間が経過すると、図８に示した「累計データ」画面８００に戻る。
【００９２】
また、図７に示した「歩数表示」画面７００が表示されている状態において、アップスイッチ６０３が１回押下されると、図１６に示すように、「メモリー（１日前の歩数表示）」画面１６００に切り替わる。たとえば本日が１月１日であり、画面１６００の左下に「１２／３１」および「メモリー」と表示されることから、メモリー表示であることを被験者は容易に理解することができる。具体的には、昨日（１２月３１日）の歩数が、１０２１０歩であることを理解することができる。
【００９３】
さらに、アップスイッチ６０３が１回押下されるたびに、図示は省略するが、「２日前」→「３日前」→・・・→「１４日前」→「今日」と表示形式が切り替わる。反対に、ダウンスイッチ６０４が１回押下されるたびに、「１４日前」→「１３日前」→・・・→「２日前」→「今日」と表示形式が切り替わる。メモリーは１４日としたが、この日数には限定されず、１４日よりも短くてもよく、また１４日よりも長くてもよい。
【００９４】
各画面（７００〜１５００）においても、アップスイッチ６０３が１回押下されるたびに、図示は省略するが、それぞれの歩数関連データの「２日前」→「３日前」→・・・→「１４日前」→「今日」と表示形式が切り替わる。反対に、ダウンスイッチ６０４が１回押下されるたびに、それぞれの歩数関連データの「１４日前」→「１３日前」→・・・→「２日前」→「今日」と表示形式が切り替わる。
【００９５】
また、「２日前」の「歩数表示」画面が表示されている状態において、切替スイッチ６０２が１回押下されるごとに、図示は省略するが、「２日前」の「消費カロリー」画面→「２日前」の「脂肪燃焼量」画面→「２日前」の「歩行距離」画面→「２日前」の「歩行時間」画面→「２日前」の「平均速度」画面→「２日前」の「歩数表示」画面というように同じ表示形式で表示する歩数関連データが循環して切り替わる。
【００９６】
これら各画面（７００〜１５００および図示を省略した画面）においても、上述した画面と同様に、１０秒間何も操作指示がなかった場合は、１０秒経過後に、各画面の「今日」に表示が切り替えるのではなく、図８に示した「累計データ」画面８００に切り替える。すなわち、「４日前」の「歩行距離」画面が表示されていても、何らの操作指示がなかった場合は、１０秒後に今日の「歩行距離」画面に切り替えるのではなく、図８に示した「累計データ」画面８００に切り替える。
【００９７】
以上説明したように、実施の形態１の歩数計１００は、計数した歩数を歩数データとして記憶し、歩数データに基づき複数の歩数関連データを算出して記憶する歩数計１００において、歩数データおよび歩数関連データのそれぞれを複数の表示形式で表示可能な表示装置１０５と、歩数データの複数の表示形式間の表示の切り替え、歩数関連データの複数の表示形式間の切り替え、および歩数データと歩数関連データとの間の表示の切り替えをおこなうための入力装置１０７と、を有し、表示装置１０５における表示が、設定データの設定表示形式（たとえば「累計データ」画面８００）以外に切り替えられた後、入力装置１０７の操作が所定時間おこなわれないときに設定データの設定表示形式に自動的に切り替えることを特徴としている。
【００９８】
実施の形態１の歩数計１００によれば、表示装置１０５における表示が「累計データ」画面８００以外に切り替えられた後、所定時間が経過するまでの間に何らの操作もなければ、表示装置１０５における表示が「累計データ」画面８００の表示に切り替わる。すなわち、表示装置１０５における表示が「累計データ」画面８００以外に切り替えられると、何らの操作をしなくても切り替えられてから所定時間経過後に「累計データ」画面８００を表示させることができる。これによって、被験者に対して、当該被験者が所望する情報（たとえば６日前から今日までの累計歩数）を容易に確認させることができる。
【００９９】
また、実施の形態１の歩数計１００は、設定データが、歩数データの変化に応じて変化するデータであることを特徴としている。歩数データは被験者の体動によって変化するため、歩数データの変化に応じて変化するデータを表示することにより、被験者は体動によるデータの変化を容易に確認することができる。
【０１００】
また、実施の形態１の歩数計１００は、設定データが、当日の歩数として計数している歩数データ、当該当日を含む所定期間において継続して歩数として計数している歩数データ、あらかじめ定められている区間において歩数として計数している歩数データ、歩数データの歩数関連データまたは日付データのいずれかのデータであることを特徴としている。
【０１０１】
このように、歩数計１００に対して何らかの操作がなされた後、所定時間が経過するまでの間に何らの操作もない場合に、被験者の体動による変化の実績あるいは時間的な変化を確認できるデータを表示することにより、被験者が所望する情報を迅速に提供することができる。
【０１０２】
また、実施の形態１の歩数計１００は、歩数関連データが、消費カロリー、脂肪燃焼量、歩行距離、歩行時間、平均速度に関する情報の少なくともいずれか一つを含むことを特徴としている。消費カロリー、脂肪燃焼量、歩行距離、歩行時間、平均速度などのように被験者の体動によって変化するデータは、被験者が確認を所望していると考えられる。このため、歩数計１００に対して何らかの操作がなされた後、所定時間が経過するまでの間に何らの操作もない場合に、被験者の体動に応じて変化するデータを表示することにより、被験者が所望する情報を迅速に提供することができる。
【０１０３】
また、実施の形態１の歩数計１００は、設定データおよび設定表示形式の少なくともいずれかを設定する設定部３０３を備えたことを特徴としている。実施の形態１の歩数計１００によれば、被験者が所望する設定データの設定表示形式を、当該被験者が任意に設定することができる。これによって、被験者ごとに当該被験者が所望する情報を容易に確認させることができる。
【０１０４】
（実施の形態２）
つぎに、この発明にかかる歩数計の好適な実施の形態２を詳細に説明する。実施の形態２においては、上述した実施の形態１と同一部分については同一符号で示し、説明を省略する。
【０１０５】
（処理装置の機能的構成）
図１７は、この発明にかかる実施の形態２の歩数計の処理装置の機能的構成を示すブロック図である。図１７に示すように、処理装置１０４は、Ｘ軸アナログ／デジタル変換部２０１、Ｙ軸アナログ／デジタル変換部２０２、Ｚ軸アナログ／デジタル変換部２０３、加速度取得部２０４、上弦ピーク値検出部２０５および下弦ピーク値検出部２０６、ピーク差算出部２０７、閾値判定部２０８、フラグ制御部２０９、計数部２１０、記憶部２１１、計数制御部２１２、算出部２１３を備えている。これらの機能部については、ハードウェアにより実現されてもよいし、ＣＰＵなどでプログラムを実行することにより実現されてもよい。
【０１０６】
計数制御部２１２は、Ｘ軸加速度センサ１０１、Ｙ軸加速度センサ１０２およびＺ軸加速度センサ１０３が検出する加速度に基づいて、そのモードに合致する加速度を検出したときに歩行モード（計数モード）ごとに計数部２１０により歩数を計数する。歩行モードは、たとえば「通常歩モード」、「速歩モード」、「ランニングモード」などのように、被験者の歩行状態に応じて分類された複数種類の歩行モードの中から任意の歩行モードを設定することができる。
【０１０７】
この実施の形態２において、「通常歩モード」は、Ｘ軸加速度センサ１０１、Ｙ軸加速度センサ１０２およびＺ軸加速度センサ１０３が検出する加速度に基づいて、通常の歩行をしていると判断できる体動をカウントする。具体的には、「通常歩モード」は、たとえばＸ軸加速度センサ１０１、Ｙ軸加速度センサ１０２およびＺ軸加速度センサ１０３が検出する加速度が所定閾値より小さい体動を、通常の歩行による体動として判断し、カウントする。
【０１０８】
また、この実施の形態２において、「速歩モード」は、Ｘ軸加速度センサ１０１、Ｙ軸加速度センサ１０２およびＺ軸加速度センサ１０３が検出する加速度に基づいて、所定時間においてカウントされる体動数が所定数以上すなわち通常歩行時よりも速い速度で歩行していると判断できる体動をカウントする。具体的には、たとえば早足で歩行（速歩）している場合、速歩中に発生する体動の間隔は、通常歩行時の間隔より短くなることから、前回の体動検出から所定時間以内につぎの体動を検出した場合に当該体動をカウントする。
【０１０９】
また、この実施の形態２において、「ランニングモード」は、Ｘ軸加速度センサ１０１、Ｙ軸加速度センサ１０２およびＺ軸加速度センサ１０３が検出する加速度に基づいて、所定時間においてカウントされる体動数が所定数以上であって、かつ、カウントされる体動が所定以上の強さすなわち通常歩行時よりも力強いと判断できる体動をカウントする。具体的には、たとえばランニングしている場合、地面を蹴ったり着地したりする際に発生する体動の強さは、通常歩行時の間隔より強くなることから、所定の閾値以上の強さの体動を検出した場合に当該体動をカウントする。
【０１１０】
速歩としてカウントされた歩数データは、「通常歩モード」に累積して計数することができる。この場合、具体的には、たとえば速歩としてカウントされた歩数データが、通常歩としてもカウントされる。より具体的には、たとえば１０００歩の歩行のうち通常歩の歩行が５００歩カウントされ、速歩が５００歩カウントされた場合、「速歩モード」における歩数は５００（歩）となり「通常歩モード」における歩数は１０００（歩）とされる。
【０１１１】
あるいは、速歩としてカウントされる歩数データは、「速歩モード」にのみ計数されるようにしてもよい。この場合、具体的には、たとえば「速歩モード」と「通常歩モード」とでは、それぞれ別個に歩数データを取得する。より具体的には、たとえば１０００歩の歩行のうち通常歩の歩行が５００歩カウントされ、速歩が５００歩カウントされた場合、「速歩モード」における歩数は５００（歩）となり「通常歩モード」における歩数が５００（歩）とされる。
【０１１２】
同様に、ランニングとしてカウントされた歩数データは、「通常歩モード」に累積して計数することができる。この場合、具体的には、たとえばランニングとしてカウントされた歩数が、通常歩としてもカウントされる。より具体的には、たとえば１０００歩の歩行のうち通常歩の歩行が５００歩カウントされ、ランニングが５００歩カウントされた場合、「ランニングモード」における歩数は５００（歩）となり「通常歩モード」における歩数は１０００（歩）とされる。
【０１１３】
あるいは、ランニングとしてカウントされた歩数データは、「ランニングモード」にのみ計数されるようにしてもよい。この場合、具体的には、たとえば「ランニングモード」と「通常歩モード」とでは、それぞれ別個に歩数関連データを取得する、より具体的には、たとえば１０００歩の歩行のうち通常歩が５００歩カウントされ、ランニングが５００歩カウントされた場合、「ランニングモード」における歩数は５００（歩）となり「通常歩モード」における歩数が５００（歩）とされる。
【０１１４】
また、「速歩モード」、「ランニングモード」にカウントされた歩数を「通常歩モード」に累積して加算するが、「速歩モード」と「ランニングモード」との間では歩数のカウントを累積しないようにしてもよい。この場合、具体的には、１５００歩の歩行のうち通常歩として５００歩、速歩として５００歩、さらにランニングが５００歩おこなった場合、「速歩モード」および「ランニングモード」における歩数はそれぞれ５００（歩）となり「通常歩モード」における歩数が１５００（歩）とされる。
【０１１５】
モード切替制御部１７０１は、表示装置に表示する歩行モードの設定が「通常歩モード」、「速歩モード」あるいは「ランニングモード」に切り替えられた場合に、所定のタイミングで、該当する歩行モードフラグをオンにする。所定のタイミングは、たとえば「通常歩モード」が設定されている状態において入力装置１０７から表示する歩行モードの設定を「速歩モード」に切り替える操作指示を受けた時点とする。
【０１１６】
また、所定のタイミングは、たとえば「通常歩モード」を表示するように設定されている状態において入力装置１０７から表示する歩行モードの設定を「ランニングモード」に切り替える操作指示を受けた時点とする。モード切替制御部１７０１は、表示する歩行モードの設定の切り替えがあった場合に、該当しない歩行モードフラグをオフにする。
【０１１７】
計数制御部２１２は、歩行モードに合致する体動を検出した場合に、計数部２１０によりその歩行モードの歩数としてカウントがおこなわれるように、計数部２１０による計数処理を制御する。具体的には、速歩に合致する体動を検出した場合に計数部２１０により速歩モードの歩数としてカウントがおこなわれるように、計数部２１０による計数処理を制御する。
【０１１８】
実施の形態２の歩数計１００において、記憶部２１１は、計数部２１０によって歩行モードごとにカウントされた歩数データのカウント値を、歩行モードごとに記憶する。この実施の形態２においては、記憶部２１１によって記憶手段を実現することができる。
【０１１９】
速歩やランニングとしてカウントされた歩数データのカウント値を、通常歩に累積して計数するようにした場合、記憶部２１１は、検出された歩行の種類にかかわらず、計数部２１０によってカウントされた歩数データのカウント値を、「通常歩モード」における歩数データのカウント値に累積して加算する。
【０１２０】
実施の形態２の歩数計１００において、設定部３０３は、記憶部２１１に記憶された歩数データの異なる歩行モード（計数モード）ごとに、それぞれ異なる設定データの設定表示形式を設定する。これにより、実施の形態２の歩数計１００においては、歩行モードごとに指定画面を設定することができる。
【０１２１】
すなわち実施の形態２の歩数計１００においては、「通常歩モード」での指定画面と、「速歩モード」での指定画面と、をそれぞれ設定することができる。歩行モードごとの指定画面の設定方法は、各歩行モードを表示するように設定されている状態で、それぞれ、指定画面として設定したい画面に切り替えて表示し、この状態でたとえば図６における設定スイッチ６０１などの所定のスイッチを長押しすることによって設定することができる。以下、この実施の形態２においては、「通常歩モード」での指定画面として「累計データ」画面８００が設定され、「速歩モード」での指定画面としてエクササイズ量のうちの「消費カロリー」画面９００が設定され、「ランニングモード」での指定画面として「平均速度」画面１３００が設定されたものとして説明する。
【０１２２】
（歩数計１００の表示切り替え制御処理の手順）
図１８は、この発明にかかる実施の形態２の歩数計１００の表示切り替え制御処理の手順を示すフローチャートである。図１８のフローチャートにおいて、切り替え制御部３０２は、まず、現在設定されている歩行モードを特定する（ステップＳ１８０１）。ステップＳ１８０１においては、たとえば処理装置１０４のモード切替制御部１７０１における歩行モードフラグがオンであるかオフであるかに基づいて、現在設定されている歩行モードを特定することができる。
【０１２３】
つぎに、表示部３０１において、ステップＳ１８０１において特定された歩行モードに該当する指定画面を表示する（ステップＳ１８０２：歩行モードに該当する指定画面表示）。具体的には、ステップＳ１８０２においては、たとえば、ステップＳ１８０１において特定された歩行モードが「通常歩モード」であった場合は「累計データ」画面８００に切り替えて表示し、ステップＳ１８０１において特定された歩行モードが「速歩モード」であった場合は「消費カロリー」画面９００に切り替えて表示する。
【０１２４】
そして、歩行モードに該当する指定画面を表示した状態で、たとえば「切替」スイッチ６０２などの所定のスイッチのいずれかが押下されたか否かを判断する（ステップＳ１８０３）。ステップＳ１８０３において、所定のスイッチが押下されない場合（ステップＳ１８０３：Ｎｏ）は、表示部３０１における、歩行モードごとの「指定画面表示」を維持する。
【０１２５】
ステップＳ１８０３において、上記所定のスイッチが押下された場合（ステップＳ１８０３：Ｙｅｓ）は、押下されたスイッチに応じた表示の切り替えをおこなう（ステップＳ１８０４）。また、ステップＳ１８０４における表示切り替えとともに、表示を切り替えてからの経過時間の計時を開始する（ステップＳ１８０５）。
【０１２６】
ステップＳ１８０４の処理とステップＳ１８０５の処理とは、実行する順序が逆であってもよい。すなわち、上記所定のスイッチが押下された場合は、所定のスイッチが押下されてからの時間の計時を開始した後に、押下されたスイッチに応じた表示の切り替えをおこなうようにしてもよい。
【０１２７】
その後、ステップＳ１８０５における計時が開始されてから所定時間（たとえば「１０秒」）が経過したか否かを判断する（ステップＳ１８０６）。ステップＳ１８０５における計時が開始されてから、未だ１０秒が経過していない場合（ステップＳ１８０６：Ｎｏ）は、所定のスイッチのいずれかが押下されたか否かを判断する（ステップＳ１８０７）。
【０１２８】
そして、ステップＳ１８０５における計時が開始されてから１０秒が経過するまでの間にスイッチの押下があった場合（ステップＳ１８０７：Ｙｅｓ）は、ステップＳ１８０４へ戻って、再び、押下されたスイッチに応じた表示の切り替えをおこなう（ステップＳ１８０４）。以後ステップＳ１８０４〜ステップＳ１８０７の各処理を繰り返しおこなう。
【０１２９】
ステップＳ１８０６において、スイッチの押下がなく（ステップＳ１８０７：Ｎｏ）、１０秒が経過した場合（ステップＳ１８０６：Ｙｅｓ）は、切り替え制御部３０２は、現在設定されている歩行モードを特定し（ステップＳ１８０８）、特定された歩行モードに該当する指定画面に表示を切り替える（ステップＳ１８０９）。
【０１３０】
具体的には、ステップＳ１８０９においては、たとえば、ステップＳ１８０８において特定された歩行モードが「通常歩モード」であった場合は、「累計データ」画面８００に切り替えて表示する。
【０１３１】
また、具体的には、ステップＳ１８０９においては、たとえば、ステップＳ１８０８において特定された歩行モードが「速歩モード」であった場合は、「消費カロリー」画面９００に切り替えて表示する。
【０１３２】
また、具体的には、ステップＳ１８０９においては、たとえばステップＳ１８０８において特定された歩行モードが「ランニングモード」であった場合は、「平均速度」画面１３００に切り替えて表示する。
【０１３３】
その後、ステップＳ１８０３へ移行し、以後ステップＳ１８０４〜ステップＳ１８０９の各処理を繰り返しおこなう。
【０１３４】
（歩数計１００の動作）
つぎに、この発明にかかる実施の形態２の歩数計１００の動作の概念について説明する。図１９は、この発明にかかる実施の形態２の歩数計１００の動作の概念を示す説明図である。図１９において、歩数計１００は、歩数、消費カロリー、歩行距離、歩行時間、脂肪燃焼量、・・・などの歩数関連データを日付ごとに記憶するデータ群を、歩行モードごとに記憶している。
【０１３５】
歩数計１００においては、「通常歩モード」の設定下において表示部３０１における表示が切り替わってから所定時間（図１８においては１０秒間）、操作入力がなされなければ、図１９における矢印１９１０に例示するように、かならず「累計データ」画面８００に切り替わる。図１９においては、一例として、「３日前のエクササイズ量」を示す表示画面から、指定画面としての「累計データ」画面８００に切り替わる様子を矢印１９１０によって示している。
【０１３６】
歩数計１００においては、「速歩モード」の設定下において表示部３０１における表示が切り替わってから所定時間（図１８においては１０秒間）、操作が入力なされなければ、図１９における矢印１９２０に例示するように、かならずエクササイズ量のうちの「消費カロリー」画面９００に切り替わる。図１９においては、一例として、「今週のエクササイズ量」を示す表示画面から、指定画面としての「本日のエクササイズ量」を示す表示画面に切り替わる様子を矢印１９２０によって示している。
【０１３７】
（歩数計１００の外観）
つぎに、この発明にかかる実施の形態２の歩数計１００の外観について説明する。図２０は、この発明にかかる実施の形態２の歩数計１００の外観を示す説明図である。図２０において、歩数計１００は、表示部（表示画面）３０１と、設定スイッチ６０１と、切替スイッチ６０２と、アップスイッチ６０３と、ダウンスイッチ６０４と、モードスイッチ２００１と、を備えている。
【０１３８】
モードスイッチ２００１は、操作されるごとに、表示装置に表示する歩行モードの設定を切り替える。たとえば「通常歩モード」が設定されている状態でモードスイッチ２００１が１回操作された場合、歩数計１００においては「速歩モード」が設定される。また、たとえば「速歩モード」が設定されている状態でモードスイッチ２００１が１回操作された場合、歩数計１００においては「通常歩モード」が設定される。
【０１３９】
「速歩モード」においては、速歩として判断された体動に基づく歩数、累計歩数、消費カロリー、脂肪燃焼量、歩行距離、歩行時間、平均速度、区間データなどがカウントされる。これにより、「速歩モード」が設定された状態では、速歩としてカウントされた体動に基づく「歩数表示」画面７００、「累計データ」画面８００、「消費カロリー」画面９００、「脂肪燃焼量」画面１０００、「歩行距離」画面１１００、「歩行時間」画面１２００、「平均速度」画面１３００、「区間計測」画面１４００などの各種画面を表示することができる。
【０１４０】
「速歩モード」が設定された状態で表示される各種画面（「歩数表示」画面７００、「累計データ」画面８００、「消費カロリー」画面９００、「脂肪燃焼量」画面１０００、「歩行距離」画面１１００、「歩行時間」画面１２００、「平均速度」画面１３００、「区間計測」画面１４００）においては、速歩としてカウントされた体動に基づくデータが表示される。
【０１４１】
「通常歩モード」においては、通常歩として判断された体動に基づく歩数、累計歩数、消費カロリー、脂肪燃焼量、歩行距離、歩行時間、平均速度、区間データなどがカウントされる。これにより、「通常歩モード」が設定された状態では、通常歩としてカウントされた体動に基づく「歩数表示」画面７００、「累計データ」画面８００、「消費カロリー」画面９００、「脂肪燃焼量」画面１０００、「歩行距離」画面１１００、「歩行時間」画面１２００、「平均速度」画面１３００、「区間計測」画面１４００などの各種画面を表示することができる。
【０１４２】
「通常歩モード」が設定された状態で表示される各種画面（「歩数表示」画面７００、「累計データ」画面８００、「消費カロリー」画面９００、「脂肪燃焼量」画面１０００、「歩行距離」画面１１００、「歩行時間」画面１２００、「平均速度」画面１３００、「区間計測」画面１４００）においては、通常歩としてカウントされた体動に基づくデータが表示される。
【０１４３】
「ランニングモード」においては、ランニングであると判断された体動に基づく歩数、累計歩数、消費カロリー、脂肪燃焼量、歩行距離、歩行時間、平均速度、区間データなどがカウントされる。これにより、「ランニングモード」が設定された状態では、ランニングとしてカウントされた体動に基づく「歩数表示」画面７００、「累計データ」画面８００、「消費カロリー」画面９００、「脂肪燃焼量」画面１０００、「歩行距離」画面１１００、「歩行時間」画面１２００、「平均速度」画面１３００、「区間計測」画面１４００などの各種画面を表示することができる。
【０１４４】
「ランニングモード」が設定された状態で表示される各種画面（「歩数表示」画面７００、「累計データ」画面８００、「消費カロリー」画面９００、「脂肪燃焼量」画面１０００、「歩行距離」画面１１００、「歩行時間」画面１２００、「平均速度」画面１３００、「区間計測」画面１４００）においては、ランニングとしてカウントされた体動に基づくデータが表示される。
【０１４５】
以上説明したように、この発明にかかる実施の形態２の歩数計１００は、計数する歩数の種類によって複数の異なる歩数データを記憶する記憶部２１１を備え、設定部３０３が、記憶部２１１に記憶された異なる計数モードの歩数データごとに、それぞれ異なる設定データの設定表示形式を設定することを特徴としている。
【０１４６】
実施の形態２の歩数計１００によれば、表示装置における表示が、設定データの設定表示形式以外に切り替えられた場合には、設定されている歩行モードにしたがって、所定時間経過後に、設定された歩行モードにおける、設定表示形式にしたがった設定データの表示に切り替わる。これにより、被験者に対して何らの操作をさせることなく、当該被験者が所望する情報を表示することができる。これによって、被験者に対して、当該被験者が所望する情報を容易に確認させることができる。
【０１４７】
（実施の形態３）
つぎに、この発明にかかる活動量計の実施の形態を説明する。
【０１４８】
活動量計は、図１７に示される歩数計の処理装置の機能的構成と同様の構成であって、計数制御部２１２は、Ｘ軸加速度センサ１０１、Ｙ軸加速度センサ１０２およびＺ軸加速度センサ１０３が検出する加速度に基づいて、被検者の活動に合致する加速度を検出したときに、それぞれの活動の強度ごとに活動量を計数して、その活動強度ごとに活動量および活動量関連データを算出したり、活動強度ごとの活動量および活動量関連データをすべて合算して全体の活動量および活動量関連データを算出したりするものである。
【０１４９】
たとえば、具体的には実施の形態２のように歩行をその歩行形態（通常歩、速歩、ランニングなどの歩行強度）ごとに歩行データを計数して、歩数データ、歩数関連データを算出する場合も該当する。この場合、実施の形態２で詳細に説明したのと同様に活動強度（歩行強度）に応じて、活動量（歩数データ）および活動量関連データ（歩数関連データ）を算出して、それぞれの活動強度ごとに活動量および活動量関連データを表示できるようにし、表示を設定している活動強度におけるどのデータを表示していても操作が所定時間おこなわれないときにその活動強度ごとに設定データの設定表示形式に自動的に切り替えるようにすることができる。
【０１５０】
また、活動強度ごとに算出した活動量および活動量関連データを全て合算して、被検者の活動全体の活動量および活動量関連データを算出して、表示する場合は、実施の形態１で詳細に説明したのと同様にどのデータを表示していても操作が所定時間おこなわれないときに、設定データの設定表示形式に自動的に切り替えるようにすることができる。
【０１５１】
以上においてこの発明は、上述した実施の形態１〜３に限らず、種々変更可能である。たとえば、上記１０秒が経過した場合であっても、所定の動きを検知した場合（一度でも動きがあった場合）は、画面が指定画面には戻らないようにしてもよい。あるいは指定画面へ戻るまで時間（たとえば１０秒）を延長するようにしてもよい。
【０１５２】
また、被験者による携帯を検知した場合（連続した動きがあった場合）は、上記１０秒が経過した場合であっても、所定の動きを検知した場合（一度でも動きがあった場合）は、画面が指定画面には戻らないようにしてもよい。あるいは指定画面へ戻るまで時間（たとえば１０秒）を延長するようにしてもよい。
【０１５３】
また、被験者による歩行を検知した場合（連続した動きがあった場合）は、上記１０秒が経過した場合であっても、所定の動きを検知した場合（一度でも動きがあった場合）は、画面が指定画面には戻らないようにしてもよい。あるいは指定画面へ戻るまで時間（たとえば１０秒）を延長するようにしてもよい。
【０１５４】
また、歩数計１００が所定の傾きを検知した場合（３次元加速度センサによる検出をした場合）は、上記１０秒が経過した場合であっても、所定の動きを検知した場合（一度でも動きがあった場合）は、画面が指定画面には戻らないようにしてもよい。あるいは指定画面へ戻るまで時間（たとえば１０秒）を延長するようにしてもよい。
【０１５５】
また、所定の動作を検知した場合（入力ボタンなどの押下や本体を振るなど）は、上記１０秒が経過した場合であっても、所定の動きを検知した場合（一度でも動きがあった場合）は、画面が指定画面には戻らないようにしてもよい。あるいは指定画面へ戻るまで時間（たとえば１０秒）を延長するようにしてもよい。
【産業上の利用可能性】
【０１５６】
以上のように、この発明は、歩数計・活動量計が表示する情報を頻繁に確認する被験者が携帯する歩数計・活動量計に有用である。
【符号の説明】
【０１５７】
１００  歩数計
１０５  表示装置
１０７  入力装置
３０３  設定部
【図１】
0005507129.tif 000002
【図２】
0005507129.tif 000003
【図３】
0005507129.tif 000004
【図４】
0005507129.tif 000005
【図５】
0005507129.tif 000006
【図６】
0005507129.tif 000007
【図７】
0005507129.tif 000008
【図８】
0005507129.tif 000009
【図９】
0005507129.tif 000010
【図１０】
0005507129.tif 000011
【図１１】
0005507129.tif 000012
【図１２】
0005507129.tif 000013
【図１３】
0005507129.tif 000014
【図１４】
0005507129.tif 000015
【図１５】
0005507129.tif 000016
【図１６】
0005507129.tif 000017
【図１７】
0005507129.tif 000018
【図１８】
0005507129.tif 000019
【図１９】
0005507129.tif 000020
【図２０】
0005507129.tif 000021